(57)【要約】      （修正有）【課題】パッキンの脱着が容易に行える簡単な構造の蓋付容器を提供する。【解決手段】容器本体の上部開口部に挿入される栓部３付きの蓋体を備え、栓部３の下端部分に環状のパッキンを脱着可能に装着するための環状凹部２７を有し、栓部３の下端縁には環状凹部２７の下周壁となる環状の係止庇部２６の一部にパッキン脱着用の切欠３０を形成し、パッキンの取外し時には、切欠３０のある位置のパッキンに指先を掛けてパッキンを拡径して取り外す。また、パッキンの装着時には、パッキンの大部分を環状凹部２７に嵌合し、最終的には切欠３０部分のパッキンを環状凹部２７に押し込むことにより容易に脱着が可能となる。【選択図】図６
0003215464.tif 000002
【実用新案登録請求の範囲】
【請求項１】
容器本体の上部開口部に挿入される栓部を有し前記上部開口部に螺着される蓋体と、前記栓部に設けられた環状のパッキンとを備えた蓋付の容器であって、
前記栓部の外周側壁に環状凹部が形成され、該環状凹部に前記パッキンが着脱可能に嵌着され、前記環状凹部の下周壁となる部分に指先を引っ掛けてパッキンを取外し可能とする切欠凹部が形成されたことを特徴とする蓋付容器。
【請求項２】
前記環状凹部が、前記栓部の下端部分に形成され、前記環状凹部の下周壁が、前記栓部の下端縁から外方向に突出する環状の係止庇部とされ、該係止庇部の一部に前記切欠凹部が形成された請求項１請求項１に記載の蓋付容器。
【請求項３】
前記切欠凹部は、前記環状凹部の底壁の一部にまで達する深さに形成されている、請求項１又は２に記載の蓋付容器。
【請求項４】
前記栓部が容器本体の内容器に内嵌され、前記栓部の外周側壁と前記容器本体の内容器の内面とに互いに螺合するための螺旋状の螺条部が突出形成された蓋付容器であって、前記パッキンの外径は、前記栓部の螺条部の外径よりも小径に形成されている、請求項１〜３のいずれかに記載の蓋付容器。
【考案の詳細な説明】
【技術分野】
【０００１】
本考案は、スープやみそ汁等の飲食物や飲料を収納する蓋付容器に関する。
【背景技術】
【０００２】
加熱された飲食物を収納する蓋付容器においては、容器内からの液体が漏れないように、容器本体の上部開口部に挿入される蓋体の栓部の下方周縁に環状のパッキンが装着されている。
【０００３】
ところで、この種の蓋付容器においては、蓋に装着されたパッキンを取外して洗浄することが行われる。
【０００４】
しかしながら、環状のパッキンは栓部の下端部分に形成された環状凹部に嵌合されており、栓部の下端縁は、環状凹部の下周壁となる環状の係止庇部が形成されているので、パッキンの弾性を利用して拡径して取外す際に使用者の指先がパッキンに掛かりにくく、容易に取り外せないという難点がある。
【０００５】
特許文献１では、パッキンを係止庇部に下方から被嵌可能とした扁平容器形状とし、その周壁部に横長の透孔を適宜数か所設け、この透孔に嵌合し弾性を有する係止突部を設け、パッキンの着脱を係止突部の弾性による撓みによってのみ行われるようにし、その着脱を容易に行う技術が開示されている。
【先行技術文献】
【特許文献】
【０００６】
【特許文献１】特開20169-147673号公報
【考案の概要】
【考案が解決しようとする課題】
【０００７】
しかしながら、特許文献１では、パッキンを栓部の係止庇部に下方から被嵌可能とした扁平容器形状とし、その周壁部に横長の透孔を適宜数か所設け、この透孔に嵌合し弾性を有する係止突部を設ける構成を採用しており、パッキンの構造自体が複雑となるといった難点がある。  
【０００８】
本考案は、簡単な構造によって、パッキンの取り外しが容易に行えるようにした蓋付容器の提供を目的とする。
【課題を解決するための手段】
【０００９】
上記目的を達成するために、本考案においては、容器本体の上部開口部に挿入される栓部を有し前記上部開口部に螺着される蓋体と、前記栓部に設けられた環状のパッキンとを備えた蓋付の容器であって、前記栓部の外周側壁に環状凹部が形成され、該環状凹部に前記パッキンが着脱可能に嵌着され、前記環状凹部の下周壁となる部分に指先を引っ掛けてパッキンを取外し可能とする切欠凹部が形成されている。
【００１０】
この場合、環状凹部を栓部の下端部分に形成し、環状凹部の下周壁を、栓部の下端縁から外方向に突出する環状の庇部とし、この庇部の一部に前記切欠凹部を形成する態様であってもよい。
【考案の効果】
【００１１】
上記構成によると、パッキンの取り外し時には、切欠凹部のある位置のパッキンに使用者が指先を掛けてパッキンを拡径し、パッキンを栓部から容易に取外すことができ、また、パッキンの装着時には、パッキンの大部分を環状凹部に嵌合し、最終的には切欠凹部のパッキンを環状凹部に押し込むことにより容易に装着することができる。
【図面の簡単な説明】
【００１２】
【図１】本考案の実施形態である蓋付容器の縦断面図である。
【図２】図１のおける蓋体と容器本体との螺合状態を示す拡大断面図である。
【図３】蓋体を底面側から見た斜視図である。
【図４】栓部の係止庇部の切欠位置におけるパッキンを示す断面図であって、（ａ）はパッキン装着状態を、同図（ｂ）はパッキン取り外し状態をそれぞれ示す。
【図５】蓋体の栓部のみを底面側から見た斜視図である。
【図６】蓋体の栓部の切欠形成位置を示す正面図である。
【図７】図６の底面図である。
【図８】図６のＢ−Ｂ断面図である。
【考案を実施するための形態】
【００１３】
以下、本考案の実施形態を図面に基づいて説明する。本実施形態は、容器本体１と、該容器本体１の上部開口部２に挿入される栓部３を有し上部開口部２に螺着される蓋体４とを備えている。
【００１４】
容器本体１は、ステンレス製の外容器５と同じくステンレス製の内容器６とからなる真空二重構造の断熱容器である。外容器５の上端部内周面と内容器６の上端外周面とが互いに接合される。外容器５の上端外周面には蓋体４の飲み口部材７を螺合する雄状の螺条部８が突出形成される。また、内容器６の上方開口部２の下方箇所に環状の受け凸部９が形成され、その受け凸部９の上方には、内容器６の内壁から内側に突出する螺旋状の螺条部１０が設けられる。
【００１５】
内外の容器５，６の上端接合部には、断面が逆Ｕ字形の環状の弾性部材１１が上方から嵌合され、飲食時に内外容器５，６の上端接合部から外部に漏れるのを防止している。また、内外の容器５，６の上端接合部には、飲み口部材７が設けられる。この飲み口部材７は、合成樹脂製であって、前記弾性部材１１の頂部から外容器５の上端部に外嵌される筒状の外筒１２と、外筒１２の上端から内側に向かって口ばし状に突出する周縁部１３とを備えている。周縁部１３は、内側に向かってわずかに下り傾斜した態様となっている。周縁部１３の内端と弾性部材１１とはほぼ面一に形成されている。
【００１６】
この外容器５の雄状の螺条部８に螺合するよう、飲み口部材７の外筒１２の内周面には、雌状の螺条部１２が螺旋状に凹設されている。この飲み口部材７は、内外容器５，６の上端接合部から脱着可能とされ、飲み口部材７を洗浄することができる。
【００１７】
内容器６の受け凸部９は、閉蓋時に、蓋体４の栓部３のパッキン１５が弾性的に圧接して水密機能を発揮できるようになっている。
【００１８】
蓋体４は、容器本体１の上部開口部の内側に挿入される栓部３と、容器本体１の上部開口部の口部外周面を覆うキャップ２０とを備えている。キャップ２０は、天板２０ａと周側壁２０ｂとから縦断面Ｃ字状に形成される。キャップ２０の周側壁２０ｂの外径は容器本体１の外径とほぼ同一に形成される。キャップ２０の周側壁２０ｂの内径は飲み口部材７の外筒１２よりも大径に形成される。
【００１９】
栓部３は、内部に断熱材２１を収容可能な有底円筒状の容器形状とされており、上方開口部に外側に拡がるフランジ２２が形成され、このフランジ２２がキャップ２０の天板２０ａに溶着されている。フランジ２２は、キャップ２０の天板２０ａの内面から下方に突出するリブ２３の外側に配置され、また、断熱材２１はリブ２３の内側に配置されている。
【００２０】
栓部３の外周側壁２４には、内容器６の内周面にある螺条部１０に螺合する螺条部２５が螺旋状に周設され、キャップ２０が容器本体１の上部開口部を閉塞できるようになっている。
【００２１】
栓部３の下端部分は上部の外周側壁２４よりも細径に形成され、この細径部分の下端縁に環状の係止庇部２６が形成される。係止庇部２６と上部の外周側壁２４との間に細径の環状凹部２７が形成されることになり、この部分に環状のパッキン１５が嵌合される。係止庇部２６の外径は栓部３の外周側壁２４よりも小径とされる。
【００２２】
そして、係止庇部２６の一部にはパッキン１５の脱着を容易にするために、指先挿入可能な切欠凹部３０が形成されている。この切欠凹部３０は、使用者の指先３１が挿入可能な横幅と、指先３１をパッキン１５に接触させてパッキン１５を拡径させることが可能な大きさに設定される。具体的には、図７に示すように、切欠凹部３０は、底面視で、係止庇部２６を円弧状に切欠形成した態様とされる。切欠凹部３０は、パッキン１５を係止庇部２６から環状凹部２７の底壁の一部に至る深さまで凹設されている。
【００２３】
パッキン１５は、栓部３の環状凹部２７の底壁に密着する基部１５ａと、該基部より外方向に逆Ｕ状に突出する弾性部１５ｂとを備え、弾性部１５ｂが内容器６の受け凸部９に密着することで、シール性が損なわれないようになっている。
【００２４】
なお、パッキン１５の形状は、図に示す逆Ｕ字状の形状に限定されるものではなく、これ以外にも種々の形態を採用することができる。
【００２５】
上記構成において、容器本体１の上部開口部２から蓋体４を開けるには、蓋体４を左回りに回転させると、蓋体４の栓部３の螺条部２５が容器本体１の内容器６の螺条部１０に沿って回転し、取外すことができる。
【００２６】
逆に、容器本体１を閉めるには、蓋体４の栓部３を内容器６に内嵌し、蓋体４を閉方向（例えば右回り）に回転させることで、蓋体４の栓部３の螺条部２５が内容器６の螺条部１０に沿って回転し、両者が螺合することになる。蓋体４の回転を強めていくと、栓部３の下端部にあるパッキン１５の弾性部１５ｂが内容器６の受け凸部９の上傾斜面に接触した状態から徐々に圧接した状態になり、容器本体１の内部空間が水密状態となる。このとき、パッキン１５の外径は、栓部３の外周側壁２４の螺条部外径よりも小径に形成されているので、閉蓋時にパッキン１５が容器本体１の上部開口部２の周壁に当たって閉蓋の邪魔をすることはない。
【００２７】
また、容器本体１および蓋体４は取外して洗剤等で洗浄することがあるが、このとき、蓋体４のパッキン１５も取外して洗浄する。パッキン１５の取り外しは、図４（ａ）に示すキャップ２０の周側壁２０ｂの内面と栓部３の外周側壁２４との間の空間部に指先を挿入し、図４（ｂ）に示すように、切欠凹部３０のある位置のパッキン１５に指先３１を引っ掛けて、パッキン１５を栓部３の外側に向かって引っ張り拡径して取外す。このとき、切欠凹部３０に指先が入り易く、パッキン１５の一部を指先に引っ掛け易いので、容易にパッキン１５を取外すことができる。
【００２８】
また、パッキン１５の装着時には、パッキン１５の大部分を環状凹部２７に嵌合し、最終的には切欠凹部３０部分のパッキン１５を環状凹部２７に押し込むことにより容易に装着することができる。
【００２９】
なお、パッキン１５の取り外しは、図４（ｂ）に示すように、パッキン１５を栓部３の外側に向かって引っ張る方法以外に、切欠凹部３０に指先を引っ掛けてパッキン１５を栓部３の上方に引き上げるか、あるいは栓部３の下方に引き落とす方法で行ってもよい。
【００３０】
以上のとおり、本実施形態の蓋付容器は、パッキン１５を装着する環状凹部２７の下周壁となる環状の係止庇部２６の一部に指先３１が挿入可能な大きさの切欠凹部３０を形成しているので、パッキン１５の取り外し時には、切欠凹部３０のある位置のパッキン１５に指先３１を引っ掛けてパッキン１５を拡径して、パッキン１５を取外すことができ、また、パッキン１５の装着時には、パッキン１５の大部分を環状凹部２５に嵌合し、最終的には切欠凹部３０部分のパッキン１５を環状凹部２７に押し込むことにより容易に装着することができる。
【００３１】
また、切欠凹部３０は、環状凹部２７の底壁の一部にまで達する深さに形成されている態様を採用すれば、使用者の指先３１も切欠凹部３０に容易に挿入してパッキン１５を引出すことができる。
【００３２】
また、栓部３が容器本体１の内容器６に内嵌され、栓部３の外周側壁２４と容器本体１の内容器６の内面とが互いに螺合する蓋付容器においては、パッキン１５の外径は、栓部３の螺条部２５の外径よりも小径に形成された態様を採用する。これによれば、蓋体４の栓部３を容器本体１に内嵌しても、パッキン１５が蓋体４の閉塞を阻害することがなく、水密状態を確実に確保することができる。
【００３３】
なお、本考案は上記実施形態に限定されるものではなく、本考案の範囲内で多くの修正・変更を加えることができるのは勿論である。例えば、パッキン１５は栓部３の下端外周に装着する場合に限らず、それよりも上方の栓部３の外周側壁２４に形成された環状凹部２５であってもよい。この場合、切欠凹部３０はパッキン１５の一部を指先３１で引っ掛けることができる程度に窪んだ形状であればよく、この窪み形状の切欠凹部３０であっても水密状態を保つことができる態様であればよい。
【００３４】
すなわち、本考案は、容器本体の上部開口部に挿入される栓部を有し前記上部開口部に螺着される蓋体と、前記栓部に設けられた環状のパッキンとを備えた蓋付の容器であって、前記栓部の外周側壁に環状凹部が形成され、該環状凹部に前記パッキンが着脱可能に嵌着され、前記環状凹部の下周壁となる部分に指先を引っ掛けてパッキンを取外し可能とする切欠凹部が形成された態様であればよい。
【符号の説明】
【００３５】
１    容器本体
２    上部開口部
３    栓部
４    蓋体
５    外容器
６    内容器
７    飲み口部材
８    螺条部
９    受け凸部
１０    螺条部
１１    弾性部材
１２    外筒
１３    周縁部
１５    パッキン
２０    キャップ
２０ａ  天板
２０ｂ  周側壁
２１    断熱材
２２    フランジ
２３    リブ
２４    外周側壁
２５    螺条部
２６    係止庇部
２７    環状凹部
３０    切欠凹部
３１    指先
【図１】
0003215464.tif 000003
【図２】
0003215464.tif 000004
【図３】
0003215464.tif 000005
【図４】
0003215464.tif 000006
【図５】
0003215464.tif 000007
【図６】
0003215464.tif 000008
【図７】
0003215464.tif 000009
【図８】
0003215464.tif 000010